(57)【要約】【課題】手動で金属疲労を発生させて金属シートを切断することによりシンプルな構成で装置コストを低減することができ、しかも、金属シートに手を触れずに切断作業を行うことができるため、コンタミの発生を防止することができる切断治具および切断方法を提供する。【解決手段】金属シートＳを切断するための切断治具であって、切断されるべき金属シートＳが載置される底板１０と、底板１０に接続され、当該底板１０に対して直線状に延びる揺動軸１１を中心として揺動自在の揺動板１２と、揺動板１２との間で当該揺動板１２上に載置された金属シートＳを挟持する押さえ部材１４と、を備えている。【選択図】図１
2013202714.tif 000002
【特許請求の範囲】
【請求項１】
金属シートを切断するための切断治具であって、
切断されるべき金属シートが載置される底板と、
前記底板に接続され、当該底板に対して直線状に延びる揺動軸を中心として揺動自在の揺動板と、
前記揺動板との間で当該揺動板上に載置された金属シートを挟持する押さえ部材と、
を備えた、切断治具。
【請求項２】
前記底板および前記揺動板は蝶番により接続されている、請求項１記載の切断治具。
【請求項３】
前記揺動板には全ネジが取り付けられており、前記押さえ部材は、前記全ネジに係合する蝶ナットによって前記揺動板に間隔を空けて保持されるようになっている、請求項１または２記載の切断治具。
【請求項４】
前記押さえ部材は蝶ネジにより前記揺動板に間隔を空けて保持されるようになっている、請求項１または２記載の切断治具。
【請求項５】
前記揺動板と前記押さえ部材との間には１または複数の挿入板が挿入されるようになっており、前記揺動板と前記押さえ部材との間に挿入される前記挿入板の枚数を変えることにより前記揺動板と前記押さえ部材との間の距離を変えることができるようになっている、請求項１乃至４のいずれか一項に記載の切断治具。
【請求項６】
金属シートを切断するための切断方法であって、
切断されるべき金属シートが載置される底板と、前記底板に接続され、当該底板に対して直線状に延びる揺動軸を中心として揺動自在の揺動板と、前記揺動板との間で当該揺動板上に載置された金属シートを挟持する押さえ部材とを有する切断治具を準備する工程と、
前記底板および前記揺動板にまたがるよう金属シートを前記底板および前記揺動板の上に載置する工程と、
前記底板および前記揺動板の上に載置された金属シートの一部を前記揺動板と前記押さえ部材との間で挟持する工程と、
金属シートの一部を前記揺動板と前記押さえ部材との間で挟持した状態で、前記底板に対して前記揺動板を揺動させることによって、金属疲労を発生させることにより金属シートを切断する工程と、
を備えた、切断方法。
【請求項７】
前記底板に対して前記揺動板を揺動させる際に、前記底板上にある金属シートを追加の押さえ部材により押さえる、請求項６記載の切断方法。
【発明の詳細な説明】
【技術分野】
【０００１】
本発明は、金属シートを切断するための切断治具および切断方法に関する。
【背景技術】
【０００２】
従来から、パソコン内部で用いられるハードディスクの読み取り針等の部品を製造するにあたり、クリーンルーム内で金属シートを切断する作業が行われるようになっている。具体的には、大判の金属シートに、部品等のフレームが複数整列して面付けされており、このような金属シートを切断してフレームを切り離すようになっている。ここで、金属シートの大きさやフレームの形状等は様々であるため、従来では金属シートを切断してフレームを切り離す作業は、様々な条件に対応可能な手作業で行っている場合が多い。
【０００３】
手作業での金属シートの切断作業は、操作者が手で金属シートを保持しながら当該金属シートを折り込むことによって金属疲労を発生させてフレームを切り離すようになっている。しかしながら、手作業での金属シートの切断作業では以下に示すようないくつかの問題がある。すなわち、手作業で切断作業を行う際に、金属シートに手を直接触れてしまうため、コンタミの原因になる可能性がある。また、手作業での切断作業では高度のスキルが要求されるため、経験を積んだベテランの操作者でなければ手作業での切断作業を行うことができず、初心者ではこのような切断作業を行うことが困難である。また、整列されたフレームが切断作業持の動作によって切断後に絡み合ってしまい、不良品となるおそれがある。
【０００４】
このため、従来から、特許文献１に開示されるような切断装置を用いて金属シートを自動で切断する方法が知られている。特許文献１に開示されるような切断装置では、回転体が加工対象物と衝突することによって当該加工対象物を切断するようになっている。このような切断装置の構成について図３を用いて具体的に説明する。図３に示すような切断装置１００には、第１および第２の回転ユニット１１０、１２０が設けられている。第１および第２の回転ユニット１１０、１２０は、対向配置された一対の回転体１１１、１２１と、回転体１１１、１２１間に架設された支軸１１３、１２３に回動可能に取り付けられた打撃体１３０、１４０とを有している。このような切断装置１００では、第１および第２の回転ユニット１１０、１２０が図３における矢印方向に高速回転しながらその打撃体１３０、１４０が順に加工対象物２９０に衝突して当該加工対象物２９０を切断するようになっている。
【０００５】
しかしながら、図３に示すような従来の切断装置では、以下に示すような問題がある。すなわち、このような切断装置では、刃物や回転体等が付属しているため大型になってしまうという問題がある。また、このような切断装置は大型であるためセル作業には向かずオフラインの作業となってしまい、仕掛がたまる原因となるおそれがある。また、自動で加工対象物を切断しているため、装置コストが高くなってしまうという問題がある。
【先行技術文献】
【特許文献】
【０００６】
【特許文献１】特開２００１−３４７４１６号公報
【発明の概要】
【発明が解決しようとする課題】
【０００７】
本発明は、このような点を考慮してなされたものであり、手動で金属疲労を発生させて金属シートを切断することによりシンプルな構成で装置コストを低減することができ、しかも、金属シートに手を触れずに切断作業を行うことができるため、コンタミの発生を防止することができる切断治具および切断方法を提供することを目的とする。
【課題を解決するための手段】
【０００８】
本発明の切断治具は、金属シートを切断するための切断治具であって、切断されるべき金属シートが載置される底板と、前記底板に接続され、当該底板に対して直線状に延びる揺動軸を中心として揺動自在の揺動板と、前記揺動板との間で当該揺動板上に載置された金属シートを挟持する押さえ部材と、を備えている。
【０００９】
このような切断治具によれば、底板および揺動板にまたがるよう金属シートを底板および揺動板の上に載置し、底板および揺動板の上に載置された金属シートの一部を揺動板と押さえ部材との間で挟持し、金属シートの一部を揺動板と押さえ部材との間で挟持した状態で、底板に対して揺動板を揺動させることによって、金属疲労を発生させることにより金属シートを切断するようになっている。このように、手動で揺動板を底板に対して揺動させることにより金属シートに金属疲労を発生させて当該金属シートを切断することによりシンプルな構成で装置コストを低減することができ、しかも、金属シートの一部を揺動板と押さえ部材との間で挟持することにより、金属シートに手を触れずに切断作業を行うことができるため、コンタミの発生を防止することができる。
【００１０】
本発明の切断治具においては、前記底板および前記揺動板は蝶番により接続されていてもよい。
【００１１】
本発明の切断治具においては、前記揺動板には全ネジが取り付けられており、前記押さえ部材は、前記全ネジに係合する蝶ナットによって前記揺動板に間隔を空けて保持されるようになっていてもよい。
【００１２】
あるいは、前記押さえ部材は蝶ネジにより前記揺動板に間隔を空けて保持されるようになっていてもよい。
【００１３】
本発明の切断治具においては、前記揺動板と前記押さえ部材との間には１または複数の挿入板が挿入されるようになっており、前記揺動板と前記押さえ部材との間に挿入される前記挿入板の枚数を変えることにより前記揺動板と前記押さえ部材との間の距離を変えることができるようになっていてもよい。
【００１４】
本発明の切断方法は、金属シートを切断するための切断方法であって、切断されるべき金属シートが載置される底板と、前記底板に接続され、当該底板に対して直線状に延びる揺動軸を中心として揺動自在の揺動板と、前記揺動板との間で当該揺動板上に載置された金属シートを挟持する押さえ部材とを有する切断治具を準備する工程と、前記底板および前記揺動板にまたがるよう金属シートを前記底板および前記揺動板の上に載置する工程と、前記底板および前記揺動板の上に載置された金属シートの一部を前記揺動板と前記押さえ部材との間で挟持する工程と、金属シートの一部を前記揺動板と前記押さえ部材との間で挟持した状態で、前記底板に対して前記揺動板を揺動させることによって、金属疲労を発生させることにより金属シートを切断する工程と、を備えている。
【００１５】
このような切断方法によれば、手動で揺動板を底板に対して揺動させることにより金属シートに金属疲労を発生させて当該金属シートを切断することによりシンプルな構成で装置コストを低減することができ、しかも、金属シートの一部を揺動板と押さえ部材との間で挟持することにより、金属シートに手を触れずに切断作業を行うことができるため、コンタミの発生を防止することができる。
【００１６】
本発明の切断方法においては、前記底板に対して前記揺動板を揺動させる際に、前記底板上にある金属シートを追加の押さえ部材により押さえるようになっていてもよい。
【発明の効果】
【００１７】
本発明の切断治具および切断方法によれば、手動で金属疲労を発生させて金属シートを切断することによりシンプルな構成で装置コストを低減することができ、しかも、金属シートに手を触れずに切断作業を行うことができるため、コンタミの発生を防止することができる。
【図面の簡単な説明】
【００１８】
【図１】本発明の実施の形態による切断治具の側面図である。
【図２】図１に示す切断治具の上面図である。
【図３】従来の切断装置の構成の一例を示す側面図である。
【発明を実施するための形態】
【００１９】
以下、図面を参照して本発明の実施の形態について説明する。図１および図２は、本実施の形態に係る切断治具を示す図である。このうち、図１は、本実施の形態による切断治具の側面図であり、図２は、図１に示す切断治具の上面図である。より詳細には、図２（ａ）は、図１に示す切断治具の底板、揺動板および挿入板等の上面図であり、図２（ｂ）は、図１に示す切断治具の押さえ部材の上面図であり、図２（ｃ）は、底板上にある金属シートを押さえるための追加の押さえ部材の上面図である。
【００２０】
図１および図２に示すように、本実施の形態による切断治具は、切断されるべき金属シートＳが載置される底板１０と、底板１０に接続され、当該底板１０に対して直線状に延びる揺動軸１１を中心として揺動自在の揺動板１２と、揺動板１２との間で当該揺動板１２上に載置された金属シートＳを挟持する板状の押さえ部材１４とを有している。具体的には、図１に示すように、底板１０および揺動板１２にまたがるよう、複数枚（例えば５０枚や１００枚）の金属シートＳが底板１０および揺動板１２に載置されるようになっている。また、図２に示すように、底板１０および揺動板１２は一対の蝶番１６により接続されており、この蝶番１６により、図１において揺動板１２は底板１０に対して揺動軸１１を中心として図１の矢印方向に揺動自在となっている。
【００２１】
また、図１に示すように、揺動板１２と押さえ部材１４との間には１または複数の挿入板（スペーサ）２０が挿入されるようになっている。ここで、各挿入板２０の厚さは例えば０．５ｍｍ程度となっている。また、揺動板１２と押さえ部材１４との間に挿入される挿入板２０の枚数を変えることにより、揺動板１２と押さえ部材１４との間の距離を変えることができるようになっている。このため、底板１０および揺動板１２の上に載置される金属シートＳの枚数に合わせて、揺動板１２と押さえ部材１４との間の距離を調整することができるようになる。
【００２２】
図１および図２に示すように、揺動板１２には一対の全ネジ１８が当該揺動板１２の表面から上方に延びるよう取り付けられている。そして、押さえ部材１４は、各全ネジ１８に係合する一対の蝶ナット２２によって挿入板２０上で保持されるようになっている。すなわち、図２（ｂ）に示すような押さえ部材１４を図２（ａ）における挿入板２０上に載置した後、全ネジ１８に蝶ナット２２を係合させて当該蝶ナット２２により押さえ部材１４を挿入板２０に向かって押圧するよう押さえつけることにより、押さえ部材１４は挿入板２０と蝶ナット２２との間で保持されるようになる。
【００２３】
また、図１および図２に示すような全ネジ１８および蝶ナット２２を用いる代わりに、  押さえ部材１４は蝶ネジ（図示せず）により揺動板１２に取り付けられるようになっていてもよい。この場合には、揺動板１２には蝶ネジに対応するネジ穴が設けられており、押さえ部材１４を挿入板２０上に載置した後、蝶ネジを揺動板１２のネジ穴を係合させて当該蝶ネジにより押さえ部材１４を挿入板２０に向かって押圧するよう押さえつけることにより、押さえ部材１４は挿入板２０と蝶ネジとの間で保持されるようになる。
【００２４】
また、本実施の形態の切断治具では、図２（ｃ）に示すような、底板１０上にある金属シートＳを押さえるための追加の押さえ部材２４が用いられるようになっている。追加の押さえ部材２４は例えば略長方形形状の板状のものからなり、底板１０および揺動板１２にまたがって載置された金属シートＳのうち、底板１０上にある金属シートＳの部分の上に追加の押さえ部材２４を載せてこの追加の押さえ部材２４の上方から操作者が手で押さえるようになっている（図１における２点鎖線の追加の押さえ部材２４参照）。このような追加の押さえ部材２４を用いることにより、操作者が金属シートＳに直接手を触れることを防止することができるようになる。
【００２５】
次に、このような構成からなる切断治具の動作、具体的には金属シートＳを切断する切断方法について説明する。
【００２６】
まず、底板１０および揺動板１２にまたがるよう金属シートＳを底板１０および揺動板１２の上に載置する。この際に、金属シートＳにおける切断されるべき切断ラインＬを、底板１０および揺動板１２の間の揺動軸１１に合わせるようにする。
【００２７】
次に、揺動板１２上に挿入板２０を載置する。この際に、底板１０および揺動板１２の上に載置された金属シートＳの枚数に合わせて、載置される挿入板２０の枚数を調整するようにする。そして、挿入板２０の上に押さえ部材１４を載置し、その後、全ネジ１８に蝶ナット２２を係合させて当該蝶ナット２２により押さえ部材１４を挿入板２０に向かって押圧するよう押さえつけることにより、押さえ部材１４を挿入板２０と蝶ナット２２との間で保持する。この際に、底板１０および揺動板１２の上に載置された金属シートＳの一部（図１における切断ラインＬの右側の部分）を、揺動板１２と押さえ部材１４との間で挟持する。
【００２８】
そして、金属シートＳの一部を揺動板１２と押さえ部材１４との間で挟持した状態で、底板１０に対して揺動軸１１を中心として揺動板１２を図１の矢印方向に揺動させる。この際に、底板１０および揺動板１２にまたがって載置された金属シートＳのうち底板１０上にある金属シートＳの部分の上に、図２（ｃ）に示すような追加の押さえ部材２４を載せてこの追加の押さえ部材２４の上方から操作者が手で押さえるようにする（図１における２点鎖線の追加の押さえ部材２４参照）。底板１０に対して揺動板１２を揺動させることにより、金属シートＳにおける切断ラインＬの箇所で金属疲労が発生し、図１および図２における切断ラインＬより右側の部分が金属シートＳから切断されるようになる。このようにして、金属シートＳから部品等のフレームを切り離すことができるようになる。
【００２９】
以上のように本実施の形態の切断治具および切断方法によれば、底板１０および揺動板１２にまたがるよう金属シートＳを底板１０および揺動板１２の上に載置し、底板１０および揺動板１２の上に載置された金属シートＳの一部を揺動板１２と押さえ部材１４との間で挟持し、金属シートＳの一部を揺動板１２と押さえ部材１４との間で挟持した状態で、底板１０に対して揺動板１２を揺動させることによって、金属疲労を発生させることにより金属シートＳを切断するようになっている。このように、手動で揺動板１２を底板１０に対して揺動させることにより金属シートＳに金属疲労を発生させて当該金属シートＳを切断することによりシンプルな構成で装置コストを低減することができ、しかも、金属シートＳの一部を揺動板１２と押さえ部材１４との間で挟持することにより、金属シートＳに手を触れずに切断作業を行うことができるため、コンタミの発生を防止することができる。
【００３０】
また、本実施の形態の切断治具においては、底板１０および揺動板１２は蝶番１６により接続されている。また、揺動板１２には全ネジ１８が取り付けられており、押さえ部材１４は、全ネジ１８に係合する蝶ナット２２によって揺動板１２に間隔を空けて保持されるようになっている。あるいは、押さえ部材１４は蝶ネジ（図示せず）により揺動板１２に間隔を空けて保持されるようになっていてもよい。
【００３１】
また、本実施の形態の切断治具においては、揺動板１２と押さえ部材１４との間には１または複数の挿入板２０が挿入されるようになっており、揺動板１２と押さえ部材１４との間に挿入される挿入板２０の枚数を変えることにより揺動板１２と押さえ部材１４との間の距離を変えることができるようになっている。
【００３２】
また、本実施の形態の切断方法では、底板１０に対して揺動板１２を揺動させる際に、底板１０上にある金属シートＳを追加の押さえ部材２４により押さえるようになっている。このような追加の押さえ部材２４を用いることにより、操作者が金属シートＳに直接手を触れることを防止することができるようになる。
【００３３】
なお、本発明による切断治具および切断方法は、上記の態様に限定されるものではなく、様々の変更を加えることができる。例えば、図１および図２に示す切断治具では、揺動板１２と押さえ部材１４との間に１または複数の挿入板２０を挿入するようになっているが、揺動板１２と押さえ部材１４との間に挿入板２０を挿入することは必須の要件ではない。他の例として、揺動板１２または押さえ部材１４に所定の厚さの隙間形成部材（図示せず）が取り付けられており、この隙間形成部材を介して揺動板１２および押さえ部材１４を接続することにより、隙間形成部材によって形成される隙間に所定の枚数の金属シートＳを挿入することができるようになっていてもよい。
【符号の説明】
【００３４】
１０  底板
１１  揺動軸
１２  揺動板
１４  押さえ部材
１６  蝶番
１８  全ネジ
２０  挿入板
２２  蝶ナット
２４  追加の押さえ部材
【図１】
2013202714.tif 000003
【図２】
2013202714.tif 000004
【図３】
2013202714.tif 000005